(57)【要約】【課題】  Ｒａ値を高めることが可能な半導体発光装置および照明装置を提供すること。【解決手段】  半導体発光装置（ＬＥＤモジュール１１０，１２０）は、第１発光ピーク波長を有する光を発するＬＥＤチップ２１０と、上記第１発光ピーク波長よりも長波長である第２発光ピーク波長を有する光を発するＬＥＤチップ２２０と、ＬＥＤチップ２１０，２２０からの光を受けるように配置され、ＬＥＤチップ２１０，２２０からの光によって励起されることにより、上記第１および第２発光ピーク波長と異なるピーク波長を有する光を発する蛍光体３４０，３５０を含む蛍光部３１０，３２０と、を備えることにより白色光を発する。【選択図】  図２
2014007355.tif 000002
【特許請求の範囲】
【請求項１】
第１発光ピーク波長を有する光を発する第１半導体発光素子と、
上記第１発光ピーク波長よりも長波長である第２発光ピーク波長を有する光を発する第２半導体発光素子と、
上記第１および第２半導体発光素子からの光を受けるように配置され、上記第１および第２半導体発光素子からの光によって励起されることにより、上記第１および第２発光ピーク波長と異なるピーク波長を有する光を発する蛍光体を含む蛍光部と、
を備えることにより白色光を発することを特徴とする、半導体発光装置。
【請求項２】
上記蛍光体から発せられる光のピーク波長が上記第１および第２発光ピーク波長のいずれよりも長波長である、請求項１に記載の半導体発光装置。
【請求項３】
上記蛍光部は、上記第１半導体発光素子からの光によって励起されることにより光を発する上記蛍光体を含む第１蛍光部と、
上記第２半導体発光素子からの光によって励起されることにより光を発する上記蛍光体を含む第２蛍光部と、を有する、請求項２に記載の半導体発光装置。
【請求項４】
上記第１および第２発光ピーク波長の各々が４４０〜４６５ｎｍの範囲である、請求項１ないし３のいずれかに記載の半導体発光装置。
【請求項５】
上記第１発光ピーク波長が４４５〜４５０ｎｍの範囲である、請求項４に記載の半導体発光装置。
【請求項６】
上記第２発光ピーク波長が４５５〜４６０ｎｍの範囲である、請求項４または５に記載の半導体発光装置。
【請求項７】
上記蛍光体は、第１蛍光ピーク波長を有する光を発する第１蛍光体と、上記第１蛍光ピーク波長よりも長波長である第２蛍光ピーク波長を有する光を発する第２蛍光体と、を含む、請求項３ないし６のいずれかに記載の半導体発光装置。
【請求項８】
上記第１蛍光ピーク波長が５００〜５７０ｎｍの範囲である、請求項７に記載の半導体発光装置。
【請求項９】
上記第２蛍光ピーク波長が６２０〜７００ｎｍの範囲である、請求項８に記載の半導体発光装置。
【請求項１０】
上記第１蛍光体から発せられる光が、相対的に短波長である短波長側ピーク波長と相対的に長波長である長波長側ピーク波長との２つのピーク波長を有する、請求項８または９に記載の半導体発光装置。
【請求項１１】
上記第１半導体発光素子から発せられる光と上記第１蛍光部に含まれる上記蛍光体から発せられる光との混色によって発せられる白色光について、８つの演色評価試験色Ｒ１〜Ｒ８のうち演色評価数が低値である２つの演色評価試験色が、
上記第２半導体発光素子から発せられる光と上記第２蛍光部に含まれる上記蛍光体から発せられる光との混色によって発せられる白色光について、８つの演色評価試験色Ｒ１〜Ｒ８のうち演色評価数が低値である２つの演色評価試験色と、それぞれ異なる、請求項７ないし１０のいずれかに記載の半導体発光装置。
【請求項１２】
上記第１蛍光体と上記第２蛍光体の配合比が、上記第２蛍光体を１としたときに上記第１蛍光体が３．５〜５．５である、請求項７ないし１１のいずれかに記載の半導体発光装置。
【請求項１３】
第１発光ピーク波長を有する青色光を発する第１半導体発光素子と、
上記第１発光ピーク波長よりも長波長である第２発光ピーク波長を有する青色光を発する第２半導体発光素子と、
上記第１半導体発光素子からの光を受けるように配置され、上記第１半導体発光素子からの光によって励起されることにより、上記第１および第２発光ピーク波長よりも長波長であるピーク波長を有する光を発する蛍光体を含む第１蛍光部と、
上記第２半導体発光素子からの光を受けるように配置され、上記第２半導体発光素子からの光によって励起されることにより、上記第１および第２発光ピーク波長よりも長波長であるピーク波長を有する光を発する上記蛍光体を含む第２蛍光部と、
を備えることにより白色光を発することを特徴とする、半導体発光装置。
【請求項１４】
上記蛍光体は、第１蛍光ピーク波長を有する光を発する第１蛍光体と、上記第１蛍光ピーク波長よりも長波長である第２蛍光ピーク波長を有する光を発する第２蛍光体と、を含む、請求項１３に記載の半導体発光装置。
【請求項１５】
上記第１半導体発光素子から発せられる光と上記第１蛍光部に含まれる上記蛍光体から発せられる光との混色によって発せられる白色光について、８つの演色評価試験色Ｒ１〜Ｒ８のうち演色評価数が低値である２つの演色評価試験色が、
上記第２半導体発光素子から発せられる光と上記第２蛍光部に含まれる上記蛍光体から発せられる光との混色によって発せられる白色光について、８つの演色評価試験色Ｒ１〜Ｒ８のうち演色評価数が低値である２つの演色評価試験色と、それぞれ異なる、請求項１３または１４に記載の半導体発光装置。
【請求項１６】
請求項１ないし１５のいずれかに記載の半導体発光装置と、上記半導体発光装置が搭載される基板と、を備えることを特徴とする、照明装置。
【請求項１７】
複数の上記第１半導体発光素子および複数の上記第２半導体発光素子によって構成された面状発光部を備える、請求項１６に記載の照明装置。
【請求項１８】
複数の上記第１半導体発光素子および複数の上記第２半導体発光素子によって構成された線状発光部を備える、請求項１６に記載の照明装置。
【請求項１９】
上記第１半導体発光素子と上記第２半導体発光素子とが交互に配置されている、請求項１７または１８に記載の照明装置。
【請求項２０】
上記半導体発光装置からの光を透過する透光カバーを備える、請求項１６ないし１９のいずれかに記載の照明装置。
【発明の詳細な説明】
【技術分野】
【０００１】
本発明は、白色光を発する半導体発光装置、およびこれを備えた照明装置に関する。
【背景技術】
【０００２】
ＬＥＤチップを内蔵した半導体発光装置は、様々な電子機器の光源として広く用いられており、白色光を発するタイプの半導体発光装置が使用されている（たとえば、特許文献１）。白色光を発するタイプの半導体発光装置は、たとえば、青色光を発するＬＥＤチップと、これを覆う蛍光部を備える。この蛍光部は、透光樹脂に蛍光材料が混入されている。蛍光材料の構成の一例としては、青色光によって励起されることにより赤色光を発する赤色蛍光材料と、青色光によって励起されることにより緑色光を発する緑色蛍光材料との双方を用いる構成が挙げられる。これらの青色光、赤色光、緑色光を混色させることにより、上記半導体発光装置から白色光が発せられる。
【０００３】
半導体発光装置の用途によっては、照らされる対象物が本来有する色合いが、如何に忠実に再現されるかが重要視される。この演色性は、ＪＩＳに定められた平均演色評価数（以下、Ｒａ値）を用いて評価されることが一般的である。青色光、赤色光、緑色光をただ単に混色させても、十分なＲａ値が得られるとは限らない。演色性が重要視される用途には、Ｒａ値ができる限り高い半導体発光装置が求められる。
【先行技術文献】
【特許文献】
【０００４】
【特許文献１】特開２０１０−１４７３１８号公報
【発明の概要】
【発明が解決しようとする課題】
【０００５】
本発明は、上記した事情のもとで考え出されたものであって、Ｒａ値を高めることが可能な半導体発光装置および照明装置を提供することをその課題とする。
【課題を解決するための手段】
【０００６】
本発明の第１の側面によって提供される半導体発光装置は、第１発光ピーク波長を有する光を発する第１半導体発光素子と、上記第１発光ピーク波長よりも長波長である第２発光ピーク波長を有する光を発する第２半導体発光素子と、上記第１および第２半導体発光素子からの光を受けるように配置され、上記第１および第２半導体発光素子からの光によって励起されることにより、上記第１および第２発光ピーク波長と異なるピーク波長を有する光を発する蛍光体を含む蛍光部と、を備えることにより白色光を発することを特徴としている。
【０００７】
本発明の好ましい実施の形態においては、上記蛍光体から発せられる光のピーク波長が上記第１および第２発光ピーク波長のいずれよりも長波長である。
【０００８】
本発明の好ましい実施の形態においては、上記蛍光部は、上記第１半導体発光素子からの光によって励起されることにより光を発する上記蛍光体を含む第１蛍光部と、上記第２半導体発光素子からの光によって励起されることにより光を発する上記蛍光体を含む第２蛍光部と、を有する。
【０００９】
本発明の好ましい実施の形態においては、上記第１および第２発光ピーク波長の各々が４４０〜４６５ｎｍの範囲である。
【００１０】
本発明の好ましい実施の形態においては、上記第１発光ピーク波長が４４５〜４５０ｎｍの範囲である。
【００１１】
本発明の好ましい実施の形態においては、上記第２発光ピーク波長が４５５〜４６０ｎｍの範囲である。
【００１２】
本発明の好ましい実施の形態においては、上記蛍光体は、第１蛍光ピーク波長を有する光を発する第１蛍光体と、上記第１蛍光ピーク波長よりも長波長である第２蛍光ピーク波長を有する光を発する第２蛍光体と、を含む。
【００１３】
本発明の好ましい実施の形態においては、上記第１蛍光ピーク波長が５００〜５７０ｎｍの範囲である。
【００１４】
本発明の好ましい実施の形態においては、上記第２蛍光ピーク波長が６２０〜７００ｎｍの範囲である。
【００１５】
本発明の好ましい実施の形態においては、上記第１蛍光体から発せられる光が、相対的に短波長である短波長側ピーク波長と相対的に長波長である長波長側ピーク波長との２つのピーク波長を有する。
【００１６】
本発明の好ましい実施の形態においては、上記第１半導体発光素子から発せられる光と上記第１蛍光部に含まれる上記蛍光体から発せられる光との混色によって発せられる白色光について、８つの演色評価試験色Ｒ１〜Ｒ８のうち演色評価数が低値である２つの演色評価試験色が、上記第２半導体発光素子から発せられる光と上記第２蛍光部に含まれる上記蛍光体から発せられる光との混色によって発せられる白色光について、８つの演色評価試験色Ｒ１〜Ｒ８のうち演色評価数が低値である２つの演色評価試験色と、それぞれ異なる。
【００１７】
本発明の好ましい実施の形態においては、上記第１蛍光体と上記第２蛍光体の配合比が、上記第２蛍光体を１としたときに上記第１蛍光体が３．５〜５．５である。
【００１８】
本発明の第２の側面によって提供される半導体発光装置は、第１発光ピーク波長を有する青色光を発する第１半導体発光素子と、上記第１発光ピーク波長よりも長波長である第２発光ピーク波長を有する青色光を発する第２半導体発光素子と、上記第１半導体発光素子からの光を受けるように配置され、上記第１半導体発光素子からの光によって励起されることにより、上記第１および第２発光ピーク波長よりも長波長であるピーク波長を有する光を発する蛍光体を含む第１蛍光部と、上記第２半導体発光素子からの光を受けるように配置され、上記第２半導体発光素子からの光によって励起されることにより、上記第１および第２発光ピーク波長よりも長波長であるピーク波長を有する光を発する上記蛍光体を含む第２蛍光部と、を備えることにより白色光を発することを特徴としている。
【００１９】
本発明の好ましい実施の形態においては、上記蛍光体は、第１蛍光ピーク波長を有する光を発する第１蛍光体と、上記第１蛍光ピーク波長よりも長波長である第２蛍光ピーク波長を有する光を発する第２蛍光体と、を含む。
【００２０】
本発明の好ましい実施の形態においては、上記第１半導体発光素子から発せられる光と上記第１蛍光部に含まれる上記蛍光体から発せられる光との混色によって発せられる白色光について、８つの演色評価試験色Ｒ１〜Ｒ８のうち演色評価数が低値である２つの演色評価試験色が、上記第２半導体発光素子から発せられる光と上記第２蛍光部に含まれる上記蛍光体から発せられる光との混色によって発せられる白色光について、８つの演色評価試験色Ｒ１〜Ｒ８のうち演色評価数が低値である２つの演色評価試験色と、それぞれ異なる。
【００２１】
本発明第３の側面によって提供される照明装置は、本発明の第１または第２の側面により提供される半導体発光装置と、当該半導体発光装置が搭載される基板と、を備えることを特徴としている。
【００２２】
本発明の好ましい実施の形態においては、複数の上記第１半導体発光素子および複数の上記第２半導体発光素子によって構成された面状発光部を備える。
【００２３】
本発明の好ましい実施の形態においては、複数の上記第１半導体発光素子および複数の上記第２半導体発光素子によって構成された線状発光部を備える。
【００２４】
本発明の好ましい実施の形態においては、上記第１半導体発光素子と上記第２半導体発光素子とが交互に配置されている。
【００２５】
本発明の好ましい実施の形態においては、上記半導体発光装置からの光を透過する透光カバーを備える。
【００２６】
このような構成によれば、上記半導体発光装置から発せられる光のＲａ値を高めることが可能であり、上記半導体発光装置を演色性が重量視される用途に適切に用いることができる。
【００２７】
本発明のその他の特徴および利点は、添付図面を参照して以下に行う詳細な説明によって、より明らかとなろう。
【図面の簡単な説明】
【００２８】
【図１】本発明に係る半導体発光装置を備えた照明装置の一例を示す平面図である。
【図２】図１のＩＩ−ＩＩ線に沿う要部拡大断面図である。
【図３】本発明に係る半導体発光装置を用いて行った演色評価試験の一例を示すグラフである。
【図４】本発明に係る半導体発光装置の一例の発光スペクトルを示すグラフである。
【図５】本発明に係る半導体発光装置を備えた照明装置の他の例を示す平面図である。
【図６】図５のＶＩ−ＶＩ線に沿う断面図である。
【図７】本発明に係る半導体発光装置を備えた照明装置の他の例を示す平面図である。
【図８】図７のＶＩＩＩ−ＶＩＩＩ線に沿う断面図である。
【発明を実施するための形態】
【００２９】
以下、本発明の好ましい実施の形態につき、図面を参照して具体的に説明する。
【００３０】
図１および図２は、本発明に係る半導体発光装置を備えた照明装置の一例を示している。本実施形態の照明装置１０１は、複数ずつのＬＥＤモジュール１１０，１２０と、これらＬＥＤモジュール１１０，１２０が搭載される基板１３０とを備えている。
【００３１】
基板１３０は、たとえばアルミナなどのセラミックスからなり、一定方向に長く延びたバー状とされている。基板１３０の上面には、たとえばＣｕなどの金属膜からなる配線パターン（図示略）が形成されている。上記配線パターンは、ＬＥＤモジュール１１０，１２０に電力供給するためのものである。基板１３０の上面には、基板１３０の長手方向に所定の間隔を隔てて複数のＬＥＤモジュール１１０，１２０が実装されている。
【００３２】
図２に示すように、ＬＥＤモジュール１１０は、ＬＥＤチップ２１０、蛍光部３１０、リード４００、およびケース５００を備えている。
【００３３】
ＬＥＤチップ２１０は、たとえばＧａＮ系半導体材料からなるｐ型半導体層、ｎ型半導体層、およびこれらに挟まれた活性層を有しており、青色光を発する。この青色光のピーク波長は、たとえば４４０〜４６５ｎｍの範囲であり、好ましくは、４４０〜４５０ｎｍの範囲であり、より好ましくは４４５〜４５０ｎｍの範囲である。ＬＥＤチップ２１０から発せられる青色光のピーク波長は、上記した４４０〜４６５ｎｍの範囲において短波長側にシフトしており、本発明でいう第１発光ピーク波長に相当する。本実施形態において、ＬＥＤチップ２１０は、２つのワイヤによってリード４００に接続される、いわゆる２ワイヤタイプとして構成されている。ＬＥＤチップ２１０の具体的な構成としては、２ワイヤタイプに限定されず、１ワイヤタイプ、フリップチップタイプ、サブマウント基板を有するタイプなどであってもよい。
【００３４】
リード４００は、たとえばＣｕ、Ｆｅなどの金属からなり、ＬＥＤチップ２１０を支持するとともに、ＬＥＤチップ２１０に供給される電力の通電経路となっている。ケース５００は、たとえば白色樹脂からなり、ＬＥＤチップ２１０を囲むようにリード４００上に形成されている。
【００３５】
蛍光部３１０は、ケース５００に囲まれた空間に充てんされており、ＬＥＤチップ２１０を覆っている。蛍光部３１０は、透光樹脂３３０、緑色蛍光体３４０、および赤色蛍光体３５０からなる。透光樹脂３３０は、たとえば透明なエポキシ樹脂、またはシリコーン樹脂などである。
【００３６】
緑色蛍光体３４０は、本発明でいう第１蛍光体に相当し、ＬＥＤチップ２１０からの青色光によって励起されることにより、緑色光を発する。緑色蛍光体３２０からの緑色光のピーク波長は、５００〜５７０ｎｍの範囲であり、好ましくは５２０〜５７０ｎｍの範囲であり、より好ましくは５４０〜５６０ｎｍの範囲である。ピーク波長が上記範囲よりも短いと、そのようなピーク波長の光を発する蛍光体の入手が困難またはコスト高となり、ピーク波長が上記範囲よりも長いとＲａ値を９０以上とすることが困難となる。緑色蛍光体３４０としては、たとえばＢａＭｇＡｌ10Ｏ17：Ｅｕ、ＺｎＳ：Ｃｕ、ＭＧａ2Ｓ4：Ｅｕ（ＭはＣａ，Ｓｒ，Ｂａのうちの少なくとも１種）が挙げられる。また、緑色蛍光体３４０については、上記したピーク波長の範囲内においてさらに２つのピーク波長を有するものが好適に用いられる。これら２つのピーク波長のうち相対的に短波長である短波長側ピーク波長は、たとえば５００〜５２０ｎｍの範囲であり、相対的に長波長である長波長側ピーク波長は、たとえば５４０〜５６０ｎｍの範囲である。このような２つのピーク波長を有する緑色蛍光体３４０としては、たとえば三菱化学（株）製のＢＧ−１０１Ａ（型番名）を採用することができる。
【００３７】
赤色蛍光体３５０は、本発明でいう第２蛍光体に相当し、ＬＥＤチップ２１０からの青色光によって励起されることにより、赤色光を発する。赤色蛍光体３５０からの赤色光のピーク波長は、たとえば６２０〜７００ｎｍの範囲であり、好ましくは６３０〜６８０ｎｍの範囲であり、より好ましくは６４０〜６６５ｎｍの範囲である。ピーク波長が上記範囲よりも短いとＲａ値を９０以上とすることが困難となり、ピーク波長が上記範囲よりも長いとそのようなピーク波長の光を発する蛍光体の入手が困難またはコスト高となる。赤色蛍光体３５０としては、たとえばＲＥｕＷ2Ｏ8（ＲはＬｉ，Ｎａ，Ｋ，Ｒｂ，Ｃｓのうちの少なくとも１種）、Ｍ2Ｓｉ5Ｎ8：Ｅｕ（ＭはＣａ，Ｓｒ，Ｂａのうちの少なくとも１種）、ＣａＳ：Ｅｕ、ＳｒＳ：Ｅｕが挙げられる。
【００３８】
また、後述するＲａ値を高める効果をより好適に奏するには緑色蛍光体３４０と赤色蛍光体３５０との配合比（重量比）が、赤色蛍光体３５０を１としたときに緑色蛍光体３４０が３．５〜５．５であることが好ましく、４〜５であることがより好ましい。上記配合比がこれらの範囲を外れると、ＬＥＤモジュール１１０から発せられる白色光が黒体輻射の自然な白色光からずれて、赤みがかった色になったり緑がかった色になったりすることが懸念される。
【００３９】
本実施形態の蛍光部３１０においては、緑色蛍光体３４０と赤色蛍光体３５０とが均一に分布している。ＬＥＤチップ２１０から青色光が発せられると、当該青色光と、緑色蛍光体３４０が発する緑色光と、赤色蛍光体３５０が発する赤色光との混色により、ＬＥＤモジュール１１０から白色光が発せられる。
【００４０】
ＬＥＤモジュール１２０は、ＬＥＤモジュール１１０と類似する構成とされている。以下においては、ＬＥＤモジュール１２０のうちＬＥＤモジュール１１０と相違する点を主に説明し、ＬＥＤモジュール１１０と同様の要素については同一の符号を付して適宜説明を省略する。
【００４１】
ＬＥＤモジュール１２０は、ＬＥＤチップ２２０、蛍光部３２０、リード４００、およびケース５００を備えている。ＬＥＤチップ２２０は、ＬＥＤチップ２１０と同様に、たとえばＧａＮ系半導体材料からなるｐ型半導体層、ｎ型半導体層、およびこれらに挟まれた活性層を有しており、青色光を発する。この青色光のピーク波長は、たとえば４４０〜４６５ｎｍの範囲であり、好ましくは、４５５〜４６５ｎｍの範囲であり、より好ましくは４５５〜４６０ｎｍの範囲である。ＬＥＤチップ２２０から発せられる青色光のピーク波長は、上記した４４０〜４６５ｎｍの範囲において長波長側にシフトしており、本発明でいう第２発光ピーク波長に相当する。ＬＥＤチップ（２１０，２２０）から発せられる青色光のピーク波長は、たとえばＩｎの含有量を異ならせることによって調整することが可能である。
【００４２】
蛍光部３２０は、ＬＥＤチップ２２０を覆っており、透光樹脂３３０、緑色蛍光体３４０、および赤色蛍光体３５０からなる。蛍光部３２０における透光樹脂３３０、緑色蛍光体３４０、および赤色蛍光体３５０の材質は、蛍光部３１０における透光樹脂３３０、緑色蛍光体３４０、および赤色蛍光体３５０の材質と、それぞれ同一である。また、蛍光部３２０における緑色蛍光体３４０と赤色蛍光体３５０との配合比（重量比）は、蛍光部３１０における蛍光体３４０，３５０の配合比と同一であってもよいし、異ならせてもよい。蛍光部３２０における蛍光体３４０，３５０の配合比は、赤色蛍光体３５０を１としたときに緑色蛍光体３４０が３．５〜５．５であることが好ましく、４〜５であることがより好ましい。蛍光部３２０においては、緑色蛍光体３４０と赤色蛍光体３５０とが均一に分布している。ＬＥＤチップ２２０から青色光が発せられると、当該青色光と、緑色蛍光体３４０が発する緑色光と、赤色蛍光体３５０が発する赤色光との混色により、ＬＥＤモジュール１２０から白色光が発せられる。
【００４３】
図１に示すように、複数ずつのＬＥＤモジュール１１０，１２０（ＬＥＤチップ２１０，２２０）については、基板１３０の上面においてＬＥＤモジュール１１０とＬＥＤモジュール１２０とが交互に配置されている。各ＬＥＤモジュール１１０，１２０のリード４００は、基板１３０に形成された配線パターンと電気的に導通しており、交互に配置されたＬＥＤチップ２１０，２２０が上記配線パターンを介して互いに直列に接続されている。
【００４４】
上記した複数ずつのＬＥＤモジュール１１０，１２０は、本発明でいう半導体発光装置に相当しており、これらＬＥＤモジュール１１０，１２０が実装された領域は、線状光源部を構成している。線状光源部を備える照明装置１０１は、様々な照明器具の光源として利用することができる。
【００４５】
図３は、ＬＥＤモジュール１１０，１２０を用いて行った演色評価試験の一例を示す。本実施例において、ＬＥＤモジュール１１０については、ＬＥＤチップ２１０からの光のピーク波長が４４７ｎｍであり、緑色蛍光体３４０と赤色蛍光体３５０との配合比（赤色蛍光体３５０を１としたときの緑色蛍光体３４０の重量比）が４．５であり、Ｒａ値が９６であった。ＬＥＤモジュール１２０については、ＬＥＤチップ２２０からの光のピーク波長が４５７ｎｍであり、緑色蛍光体３４０と赤色蛍光体３５０との配合比（赤色蛍光体３５０を１としたときの緑色蛍光体３４０の重量比）が４．５であり、Ｒａ値が９３であった。また、ＬＥＤモジュール１１０，１２０の合成光については、Ｒａ値が９８であった。図３において、各ＬＥＤモジュール１１０，１２０について、Ｒａ値を算出するための８つの演出評価試験色Ｒ１〜Ｒ８のそれぞれの演色評価数を示している。
【００４６】
図３に示すように、ＬＥＤモジュール１１０においては、演色評価試験色Ｒ１〜Ｒ８のうち、Ｒ３，Ｒ６の２つの演色評価数が低値である。一方、ＬＥＤモジュール１２０においては、演色評価試験色Ｒ１〜Ｒ８のうち、Ｒ７，Ｒ８の２つの演色評価数が低値である。すなわち、ＬＥＤモジュール１１０について演色評価数が低値である２つの演色評価試験色（Ｒ３，Ｒ６）が、ＬＥＤモジュール１２０について演色評価数が低値である２つの演色評価試験色（Ｒ７，Ｒ８）と、それぞれ異なっている。本実施例では、ＬＥＤモジュール１１０，１２０において互いの演色評価数が低いものどうしが補完されて、ＬＥＤモジュール１１０，１２０の合成光についてＲａ値が９８という高い値を達成するのに寄与していると考えられる。
【００４７】
図４は、図３に示した実施例における発光スペクトルを示す。図４においては、ＬＥＤモジュール１１０の発光スペクトル、ＬＥＤモジュール１２０の発光スペクトル、ＬＥＤモジュール１１０，１２０の合成光の発光スペクトル、および自然光（基準光）の発光スペクトルを示している。図４から理解されるように、ＬＥＤモジュール１１０，１２０の合成光においては、ＬＥＤチップ２１０，２２０のピーク波長の平均値に該当する４５２ｎｍ付近と、緑色蛍光体３４０の２つのピーク波長に該当する５１０ｎｍ付近および５５０ｎｍ付近と、赤色蛍光体３５０のピーク波長に該当する６３０ｎｍ付近とに、ピークがみられ、相対強度のバラつきが小さくなっている。このような、比較的広いピーク波長の分布によって高いＲａ値が達成されている。また、本実施形態では、緑色蛍光体３４０から発せられる光が２つのピーク波長を有しており、このことは、広い範囲にピークを存在させるのに適している。また、合成光の発光スペクトルは、緑色光の波長域において基準光の発光スペクトルに近似しており、このことも高いＲａ値を達成するのに寄与していると考えられえる。
【００４８】
本実施形態の照明装置１０１によれば、上述のようにＬＥＤモジュール１１０，１２０の合成光（半導体発光装置から発せられる光）のＲａ値を高めることが可能であり、演色性が重要視される用途に適切に用いることができる。特に、Ｒａ値が９８といった高い値を達成することによって、美術館などの超高演色と呼ばれる高い品質が要求される用途にも適用することが可能である。
【００４９】
照明装置１０１においては、ＬＥＤモジュール１１０とＬＥＤモジュール１２０とが交互に配置されている。このような構成によれば、ＬＥＤモジュール１１０から発せられる白色光とＬＥＤモジュール１２０から発せられる白色光とが満遍なく混ざり合い、これらＬＥＤモジュール１１０，１２０の合成光について高いＲａ値を達成することができる。
【００５０】
図５〜図８は、本発明の他の実施形態を示している。なお、これらの図において、上記実施形態と同一または類似の要素には、上記実施形態と同一の符号を付している。
【００５１】
図５および図６に示された照明装置１０２は、複数ずつのＬＥＤモジュール１１０，１２０と、基板１３０と、リフレクタ１４０と、筐体１５０と、ホルダ１６０とを備えている。照明装置１０２は、天井に設けられた開口スペースに設置されることにより、いわゆるダウンライトとして用いられるものである。
【００５２】
本実施形態において、基板１３０は円形とされており、この基板１３０上に複数ずつのＬＥＤモジュール１１０，１２０が搭載されている。ＬＥＤモジュール１１０，１２０の構成は、上述の照明装置１０１におけるＬＥＤモジュール１１０，１２０の構成と同様である。図５に示すように、本実施形態においては、多数のＬＥＤモジュール１１０，１２０が基板１３０上に千鳥状に配置されており、図５の左右方向においてＬＥＤモジュール１１０とＬＥＤモジュール１２０とが交互に配置されている。これらＬＥＤモジュール１１０，１２０が実装された領域は、面状発光部を構成している。
【００５３】
本実施形態の照明装置１０２によっても、ＬＥＤモジュール１１０，１２０の合成光（半導体発光装置から発せられる光）のＲａ値を高めることが可能であり、演色性が重要視される用途に適切に用いることができる。
【００５４】
図７および図８に示された照明装置１０３は、複数ずつのＬＥＤモジュール１１０，１２０と、基板１３０と、円筒ケース１７０と、透光カバー１８０とを備えており、いわゆるスポットライトとして用いられるものである。
【００５５】
基板１３０は、支持部材１９１，１９２を介して円筒ケース１７０に支持されている。本実施形態においては、複数ずつのＬＥＤモジュール１１０，１２０が基板１３０上に縦横に配列されている。ＬＥＤモジュール１１０，１２０の構成は、上述の照明装置１０１におけるＬＥＤモジュール１１０，１２０の構成と同様である。図７の左右方向および上下方向のそれぞれにおいて、ＬＥＤモジュール１１０とＬＥＤモジュール１２０とが交互に配置されている。これらＬＥＤモジュール１１０，１２０が実装された領域は、面状発光部を構成している。ＬＥＤモジュール１１０，１２０から発せられた光は、透光カバー１８０を透過して図８における上方に出射される。
【００５６】
本実施形態の照明装置１０３によっても、ＬＥＤモジュール１１０，１２０の合成光（半導体発光装置から発せられる光）のＲａ値を高めることが可能であり、演色性が重要視される用途に適切に用いることができる。
【００５７】
本発明に係る半導体発光装置および照明装置は、上述した実施例に限定されるものではない。本発明に係る半導体発光装置および照明装置の具体的な構成は、種々に設計変更自在である。
【符号の説明】
【００５８】
１０１，１０２，１０３    照明装置
１１０，１２０    ＬＥＤモジュール（半導体発光装置）
１３０    基板
１４０    リフレクタ
１５０    筐体
１６０    ホルダ
１７０    円筒ケース
１８０    透光カバー
１９１，１９２    支持部材
２１０    ＬＥＤチップ（第１半導体発光素子）
２２０    ＬＥＤチップ（第２半導体発光素子）
３１０    蛍光部（第１蛍光部）
３２０    蛍光部（第２蛍光部）
３３０    透光樹脂
３４０    緑色蛍光体（第１蛍光体）
３５０    赤色蛍光体（第２蛍光体）
４００    リード
５００    ケース
【図１】
2014007355.tif 000003
【図２】
2014007355.tif 000004
【図３】
2014007355.tif 000005
【図４】
2014007355.tif 000006
【図５】
2014007355.tif 000007
【図６】
2014007355.tif 000008
【図７】
2014007355.tif 000009
【図８】
2014007355.tif 000010